(57)【特許請求の範囲】
【請求項１】
シートフレームと、
前記シートフレームに張設された弾性シートと、
前記弾性シート上に設けられたトリムと、を備え、
前記弾性シートは、前記トリムの係止部を備え、
前記トリムは、トリム本体と、このトリム本体に取り付けられて、当該トリム本体を引っ張った状態で前記係止部に係止される被係止部とを備え、
前記係止部は、前記被係止部を挿入した状態で係止するための空隙を有し、
前記弾性シートは、弾性シート本体と、この弾性シート本体に重ねられた状態で取り付けられて当該弾性シート本体との間に前記空隙を形成する係止板とを備え、
前記被係止部は、Ｕ字型を成し、前記弾性シート本体に沿って前記空隙に挿入された状態で前記係止板に係止されている、ことを特徴とするシート。
【請求項２】
請求項１に記載のシートにおいて、
前記係止板は、前記弾性シート本体に沿って延在する細長い形状を有し、かつその長手方向の複数の箇所で前記弾性シート本体に固定されることにより、当該長手方向に並ぶ複数の前記空隙を形成しており、
前記トリムは、前記係止板の長手方向に互いに隣接し、前記複数の空隙にそれぞれ挿入された状態で前記係止板に係止される複数の前記被係止部を備えている、ことを特徴とするシート。
【請求項３】
請求項１又は２に記載のシートにおいて、
前記係止板の表面に溝部が形成されており、
前記被係止部の先端部には、当該被係止部が前記係止板に係止された状態で前記溝部に係合する突起部が設けられている、ことを特徴とするシート。
【請求項４】
請求項１乃至３の何れか一項に記載のシートにおいて、
前記弾性シートと前記トリム本体との間にさらにクッション材を備えている、ことを特徴とするシート。
【請求項５】
請求項４に記載のシートにおいて、
前記クッション材は、着座者の臀部若しくは背部を受けるメインクッション部と、このメインクッション部の側方に配置されて着座者の側部を受けるサイドクッション部とを含み、
前記トリム本体は、前記メインクッション部を覆うメイン部と前記サイドクッション部を覆うサイド部とを含み、かつ、これらの端部同士が重ね合された重ね合わせ端部を有し、前記被係止部は、前記重ね合わせ端部に取り付けられている、ことを特徴とするシート。
【発明の詳細な説明】
【技術分野】
【０００１】  本発明は、シートフレームに弾性シートが張設されてなるシートに関する。
【背景技術】
【０００２】  車両用のシートは、シートフレームと、このシートフレームに取り付けられるクッション用パッド（クッション材）と、このクッション用パッドを覆うトリム（表皮）とを備えるものが一般的であるが、近年、シートフレームに弾性シートが張設されてなるシートも開発されている（特許文献１）。この弾性シートにはクッション作用があるので、クッション用パッドを薄くすることができ、これによってシート全体を薄くできるという利点がある。【０００３】  他方、トリムは、その一部を引っ張りながらシートフレームに係止されているのが一般的である。具体的には、トリムの吊り込み部に取付けた吊り込み布のワイヤを、クッション用パッド内に設けられたワイヤにホグリング（連結具）で係止するものである（特許文献２）。【０００４】  特許文献１のような弾性シートを備えた車両用のシートのトリムも同様であるが、次のような課題がある。すなわち、特許文献２のような構造は、クッション用パッドに、吊り込み布のワイヤと、シートフレーム側のワイヤと、ホグリングとを収めるための深い吊り込み溝を形成する必要があるので、クッション用パッドが厚いシートに適している。【０００５】  そのため、特許文献１のように、弾性シートを採用することによりクッション用パッドを薄くしたシートは吊り込み溝の深さを確保し難く、トリムを十分に引っ張った状態で吊り込むことが難しいという課題があった。【０００６】  なお、トリムを吊り込む代わりに、トリムと弾性シートとを所望の形状が出るように予め縫着しておくことも考えられるが、両者を縫着した状態では、弾性シートをシートフレームに組み付ける作業が困難になる。また、シート内にヒータやセンサを組み込む仕様である場合、その仕様毎にトリムを設定しなければならない。さらに、弾性シートをシートフレームに組み付けた後には、トリムを動かせないので、トリムのシワが取れにくい等の幾多の問題がある。
【先行技術文献】
【特許文献】
【０００７】
【特許文献１】特開２０１４−９４０７６号公報
【特許文献２】特開２００１−６１６０７号公報
【発明の概要】
【０００８】  本発明は、弾性シートを採用したシートにおいて、トリムを簡単かつ良好に吊り込むことができる技術を提供することを目的とするものである。
【０００９】  そして、本発明のシートは、シートフレームと、前記シートフレームに張設された弾性シートと、前記弾性シート上に設けられたトリムと、を備え、前記弾性シートは、前記トリムの係止部を備え、前記トリムは、トリム本体と、このトリム本体に取り付けられて、当該トリム本体を引っ張った状態で前記係止部に係止される被係止部とを備えているものである。
【図面の簡単な説明】
【００１０】
【図１】図１（ａ）は、本発明の実施形態に係る自動車用シートの要部斜視図であり、図１（ｂ）は、前記自動車用シートのフレームの要部斜視図である。
【図２】図２は、前記自動車用シートのトリム係止構造を示す、図１（ａ）のＩ−Ｉ線断面図である。
【図３】図３（ａ）は、前記トリム係止構造におけるトリムエンドと係止板との係止前の平面図であり、図３（ｂ）は、前記トリムエンドと前記係止板との係止後の平面図である。
【図４】図４（ａ）は、前記自動車用シートのトリム係止構造の変形例を示す、図１（ａ）のＩＩ−ＩＩ線断面図であり、図４（ｂ）は、前記トリム係止構造における差し込み片の係止前の分解斜視図である。
【図５】図５（ａ）は、前記トリム係止構造の別の変形例を示す断面図であり、図５（ｂ）は、トリム係止構造のさらに別の変形例を示す断面図である。
【発明を実施するための形態】
【００１１】  以下、本発明を実施するための形態について、図面を参照しながら詳細に説明する。図１（ａ）は自動車用シート１の要部斜視図であり、図１（ｂ）は、前記自動車用シート１のフレーム６、７の要部斜視図である。
【００１２】  自動車用シート１（以下、シート１と略す）はシートクッション２とシートバック３とで構成されている。そして、リクライニング軸４を含むリクライニング機構（不図示）により、シートクッション２に対してシートバック３が前後傾自在に支持されている。
【００１３】  シートクッション２の左右下部には、シート１の前後位置を調整するためのスライダー５がそれぞれ取付けられている。
【００１４】  シートクッション２の内部にはシートフレーム６が設けられ、シートバック３の内部にはシートフレーム７が設けられている。シートフレーム６、７は、以下、フレーム６、７と略す。
【００１５】  フレーム６のうち、シートクッション２の座面２ａに対応する位置には、クッション性を有する弾性シート９が配置され、両サイド部分２ｂに対応する位置には、盛り上がったクッションパッド８（図２参照）が配置されている。そして、弾性シート９およびクッションパッド８がトリム（表皮）１０により被覆されている。
【００１６】  フレーム７のうち、シートバック３の背当たり面３ａや両サイド部分３ｂに対応する位置には、クッションパッド（不図示）が配置され、これらがトリム（表皮）１２により被覆されている。
【００１７】  シートクッション２のフレーム６は右部フレーム６ａと左部フレーム６ｂとを備えており、前記弾性シート９は、右部フレーム６ａと左部フレーム６ｂとに跨って平面状に張設されている。弾性シート９は、伸縮性のあるネット体で構成され、クッションベースネットとも呼ばれている。なお、弾性シート９については、一例として特開２０００−１１６４６０号公報で「ネット状の面状弾性体」として開示されているので、ここでの詳細な説明は省略する。弾性シート９は、伸縮性（クッション性）があればよく、必ずしもネット体に限られるものではない。
【００１８】  図２は、シート１のシートクッション２のトリム係止構造を示す、図１（ａ）のＩ−Ｉ線断面図である。また、図３（ａ）は、前記トリム係止構造におけるトリムエンド１５と係止板１６との係止前の平面図であり、図３（ｂ）は、前記トリムエンド１５と前記係止板１６との係止後の平面図である。
【００１９】  シートクッション２のトリム１０は、トリム本体１１と、このトリム本体１１に取り付けられて、当該トリム本体１１を引っ張った状態で前記弾性シート９に係止するトリムエンド１５（本発明の被係止部に相当する）とを備えている。
【００２０】  トリム本体１１は、着座者の臀部が接触するメイン材１１Ａと、その側部が接触するサイド材１１Ｂとで構成されている。メイン材１１Ａの下方には弾性シート９が臨み、サイド材１１Ｂはクッションパッド８を被覆している。
【００２１】  メイン材１１Ａは、その下面にクッション材（プリーツパッドと呼ばれることがある）１１Ｃが取付けられたもので、クッション材１１Ｃは、メイン材１１Ａと弾性シート９との隙間を補填する厚さに設定されている。クッション材１１Ｃは、メイン材１１Ａに取り付けられているが、クッション材１１Ｃは、メイン材１１Ａとは別体であってもよい。なお、当例では、クッション材１１Ｃが本発明のメインクッション部に相当し、上記クッションパッド８が本発明のサイドクッション部に相当する。
【００２２】  メイン材１１Ａとサイド材１１Ｂの各端部は、重ね合わされて内向きに折り曲げられ、この重ね合わせ端部１１ａ，１１ｂに、樹脂又は金属で形成された上向きフック状、具体的にはＵ字型のトリムエンド１５（本発明の被係止部に相当する）が重ねられて、当該重ね合わせ端部１１ａ，１１ｂとトリムエンド１５が一体に縫着されている（縫着部ａ）。
【００２３】  弾性シート９は、上記シートフレーム６に張設された弾性シート本体９ａと、この弾性シート本体９ａの上面に取り付けられた係止板１６とを含む。係止板１６は、シート１の前後方向に延在する長方形の樹脂又は金属製の板状の部材である。係止板１６は、長手方向の両端部分と中間部分の３箇所で弾性シート９に逢着されている（縫着部ｂ）。各縫着部ｂの間には、弾性シート９との間の隙間からトリムエンド１５の２箇所のフック部１５ａを差し込めるようになっている。つまり、弾性シート９のうち、隣接する上記縫着部ｂの間の位置に、上記フック部１５ａの係止部であって、係止板１６と弾性シート本体９ａとの間に形成された空隙を有する係止部１７が設けられている。
【００２４】  図２（ａ）に示すトリム係止構造は、シートフレーム６に弾性シート９が張設されてなるシート１を前提としている。トリム１０は、トリム本体１１（メイン材１１Ａとサイド材１１Ｂ）とトリムエンド１５とで構成され、メイン材１１Ａとサイド材１１Ｂとの重ね合わせ端部１１ａ，１１ｂにトリムエンド１５が取付けられている。また、弾性シート９は、弾性シート本体９ａとこれに取付けられた係止板１６とで構成されている。
【００２５】  そして、図３（ａ）の矢印のように、トリムエンド１５とともにメイン材１１Ａとサイド材１１Ｂとの重ね合わせ端部１１ａ，１１ｂが外横向き方向に引っ張られた状態で、トリムエンド１５のフック部１５ａが弾性シート９の係止部１７に係止されている。詳しくは、フック部１５ａが、係止板１６の各縫着部ｂの間の位置で、係止板１６と弾性シート本体９ａとの隙間に差し込まれて、図３（ｂ）のように係止板１６に係止されている。これにより、メイン材１１Ａとサイド材１１Ｂとの重ね合わせ端部１１ａ，１１ｂが弾性シート９に吊り込み状態で係止されている。
【００２６】  したがって、弾性シート９が使用された上記シート１、つまり、メイン材１１Ａと弾性シート９との距離（間隔）が短くなるシート１であっても、メイン材１１Ａとサイド材１１Ｂとを良好に吊り込むことができる。換言すれば、吊り込み部を容易に形成することができる。なお、メイン材１１Ａを複数片に分割し、各分割片の重ね合わせ端部を吊り込めば、メイン材１１Ａだけに吊り込み部を形成することもできる。
【００２７】  また、メイン材１１Ａと弾性シート９とが別々であるので、メイン材１１Ａと弾性シート９とを所望の形状が出るように予め縫着しておく構造に比べて、弾性シート９をフレーム６に組み付ける作業が容易になる。また、シート１内にヒータやセンサを組み込む仕様である場合も、その仕様毎にメイン材１１Ａを設定する必要がない。さらに、弾性シート９をフレーム６に組み付けた後でも、メイン材１１Ａおよびサイド材１１Ｂを動かせるので、メイン材１１Ａおよびサイド材１１Ｂのシワ取り等がし易くなり、外観を良くするための微調整を容易に行うことができる。
【００２８】  また、トリムエンド１５のフック部１５ａを、弾性シート本体９ａと係止板１６との間の隙間に差し込みながら、係止板１６に係止するだけであるから、係止作業性が良好になる。
【００２９】  なお、図２のように、フック部１５ａの先端に下向きの突起１５ｂを形成し、係止板１６の上面にフック部１５ａの突起１５ｂを係止する係止溝１６ａを形成することができる。このようにすれば、フック部１５ａが係止板１６から抜け外れないように保持することができる。
【００３０】  図４（ａ）は、シート１のシートクッション２のトリム係止構造の変形例を示す、図１（ａ）のＩＩ−ＩＩ線断面図であり、図４（ｂ）は、そのトリム係止構造における差し込み片１８の係止前の分解斜視図である。
【００３１】  シートクッション２のトリム１０は、トリム本体１１と、このトリム本体１１に取り付けられて、当該トリム本体１１を引っ張った状態で前記弾性シート９に係止する差し込み片１８とを備えている。
【００３２】  トリム本体１１は、着座者の臀部が接触するメイン材１１Ａと、その側部が接触するサイド材１１Ｂとで構成されている。メイン材１１Ａの下方には弾性シート９が臨み、サイド材１１Ｂはクッションパッド（不図示）を被覆している。なお、メイン材１１Ａは、図２の例と同様に、下面にクッション材１１Ｃが取付けられたものである。
【００３３】  メイン材１１Ａとサイド材１１Ｂの各端部は、重ね合わされて外向きに折り曲げられ、この重ね合わせ端部１１ａ，１１ｂに、樹脂又は金属で形成された板状の差し込み片１８が重ねられて、当該重ね合わせ端部１１ａ，１１ｂと差し込み片１８とが一体に縫着されている（縫着部ａ）。
【００３４】  弾性シート９には、シート１の前後方向に延在し、差し込み片１８を差し通し可能なスリット９ｂ（本発明の開口部（係止部）に相当する）が形成されている。
【００３５】  図４（ａ）に示すトリム係止構造は、シートフレーム６に弾性シート９が張設されてなるシート１を前提としている。トリム１０は、トリム本体１１（メイン材１１Ａとサイド材１１Ｂ）と差し込み片１８とで構成され、メイン材１１Ａとサイド材１１Ｂとの重ね合わせ端部１１ａ，１１ｂに差し込み片１８が取付けられている。また、弾性シート９にはスリット９ｂが形成されている。
【００３６】  そして、差し込み片１８とともにメイン材１１Ａとサイド材１１Ｂとの重ね合わせ端部１１ａ，１１ｂが下向きに引っ張られた状態で、差し込み片１８が弾性シート９のスリット９ｂに差し通されて、図４（ａ）に示すように、水平方向にひねられることで、弾性シート９に係止されている。これにより、メイン材１１Ａとサイド材１１Ｂとの重ね合わせ端部１１ａ，１１ｂが弾性シート９に吊り込み状態で係止されている。
【００３７】  したがって、弾性シート９が使用されて、メイン材１１Ａと弾性シート９との距離が短くなるシート１であっても、メイン材１１Ａとサイド材１１Ｂとを良好に吊り込むことができる。
【００３８】  また、重ね合わせ端部１１ａ，１１ｂの差し込み片１８を、弾性シート９のスリット９ａに差し通すだけであるから、係止作業性が良好になる。
【００３９】  図５（ａ）は、シート１のシートクッション２のトリム係止構造の別の変形例を示す断面図であり、メイン材１１Ａとサイド材１１Ｂとの重ね合わせ端部１１ａ，１１ｂに設けられた吊り込み布１１ｃに面ファスナ２０のフック部２０ａが取付けられ、弾性シート９の上面に面ファスナ２０のループ部２０ｂが取付けられたものである。なお、フック部２０ａとループ部２０ｂは逆に取付けられていてもよい。当例では、上記ループ部２０ｂが本発明の係止部に相当し、上記吊り込み布１１ｃおよびフック部２０ａが本発明の被係止部に相当する。
【００４０】  ここで、面ファスナ２０とは、フック部２０ａとループ部２０ｂとが対をなして、両者を強く圧迫すると、フック部２０ａとループ部２０ｂとが互いに係止され、フック部２０ａとループ部２０ｂとを手で強く引き剥がすようにすると、フック部２０ａとループ部２０ｂとの係止状態が解除されるものである。面ファスナ２０は、メカニカルファスナとも呼ばれている。
【００４１】  このように構成しても、メイン材１１Ａとサイド材１１Ｂとの重ね合わせ端部１１ａ，１１ｂが弾性シート９に吊り込み状態で係止される。
【００４２】  図５（ｂ）は、シート１のシートクッション２のトリム係止構造のさらに別の変形例を示す断面図であり、メイン材１１Ａとサイド材１１Ｂとの重ね合わせ端部１１ａ，１１ｂに設けられた吊り込み布１１ｃにワイヤ２１が取付けられ、弾性シート９に補強材２２が縫着されている（縫着部ｄ）。そして、ワイヤ２１に設けられたリング状のクリップ２３で当該ワイヤ２１と補強材２２とが互いに係止されている。当例では、上記補強材２２が本発明の係止部に相当し、上記吊り込み布１１ｃおよびワイヤ２１が本発明の被係止部に相当する。
【００４３】  このように構成しても、メイン材１１Ａとサイド材１１Ｂとの重ね合わせ端部１１ａ，１１ｂを弾性シート９に吊り込み状態で係止することができる。
【００４４】  前記実施形態は、メイン材１１Ａとサイド材１１Ｂとの重ね合わせ端部１１ａ，１１ｂの吊り込みであったが、例えば広面積であるメイン材１１Ａの一部、つまり、メイン材１１Ａの両端より内側の位置を吊り込むようにすることもできる。
【００４５】  前記実施形態は、フロントシート１のシートクッション２に本発明が適用された例について説明したが、本発明は、シートバック３にも同様に適用できる。また、本発明は、リアシートにも適用でき、さらに、自動車以外のシートにも適用できる。
【００４６】  以上説明した本発明をまとめると以下の通りである。
【００４７】  すなわち、本発明のシートは、シートフレームと、前記シートフレームに張設された弾性シートと、前記弾性シート上に設けられたトリムと、を備え、前記弾性シートは、前記トリムの係止部を備え、前記トリムは、トリム本体と、このトリム本体に取り付けられて、当該トリム本体を引っ張った状態で前記係止部に係止される被係止部とを備えているものである。
【００４８】  この構成によれば、トリム本体を引っ張りながら弾性シートに係止することができる。つまり、トリムを良好に吊り込むことができる。
【００４９】  したがって、弾性シートを採用したシートであっても、トリムに吊り込み部を容易に形成することができる。
【００５０】  また、トリムと弾性シートとが別々であるので、トリムと弾性シートとが予め縫着されている構造に比べて、弾性シートをシートフレームに組み付ける作業が容易になる。また、シート内にヒータやセンサを組み込む仕様である場合に、その仕様毎にトリムを設定する必要がない。さらに、弾性シートをシートフレームに組み付けた後でも、トリム（トリム本体）を動かせるので、トリムのシワ取り等がし易くなり、外観を良くするための微調整を容易に行うことができる。
【００５１】  上記シートにおいて、前記係止部は、前記被係止部を挿入した状態で係止するための空隙を有しているのが好適である。
【００５２】  この構成によれば、被係止部が空隙に挿入された状態で係止部に係止されるので、トリムを簡単かつ確実に弾性シートに係止することが可能となる。
【００５３】  この場合、より具体的には、前記弾性シートは、弾性シート本体と、この弾性シート本体に取り付けられて当該弾性シート本体との間に前記空隙を形成する係止板とを備え、前記被係止部は、Ｕ字型を成し、前記空隙に挿入された状態で前記係止板に係止されている。
【００５４】  この構成によれば、弾性シート本体と係止板との間の隙間にフック状の被係止板を差し込みながら、この被係止部を係止板に係止するという簡単な構成で、トリムを簡単かつ確実に弾性シートに吊り込み状態で係止することが可能となる。
【００５５】  また、別の具体的な構成として、前記係止部は、前記弾性シートに形成された開口部であり、前記被係止部は、前記開口部に差し込まれることにより前記トリム本体に係止される板状の差し込み片であってもよい。
【００５６】  この構成によれば、差し込み片を開口部に差し通すという簡単な構成で、トリムを簡単かつ確実に弾性シートに吊り込み状態で係止することが可能となる。
【００５７】  上記シートにおいては、前記弾性シートと前記トリム本体との間にクッション材を備えているものであってもよい。
【００５８】  この構成によれば、シートのクッション性をより向上させることが可能となる。
【００５９】  この場合、前記クッション材は、着座者の臀部若しくは背部を受けるメインクッション部と、このメインクッション部の側方に配置されて着座者の側部を受けるサイドクッション部とを含み、前記トリム本体は、前記メインクッション部を覆うメイン部と前記サイドクッション部を覆うサイド部とを含み、かつ、これらの端部同士が重ね合された重ね合わせ端部を有し、前記被係止部は、前記重ね合わせ端部に取り付けられているものであってもよい。
【００６０】  この構成によれば、メイン材とサイド材とを、メインクッション部とサイドクッション部との間を通じて弾性シートに吊り込んだ状態で係止することが可能となる。
【図１】
0006612777.tif 000002
【図２】
0006612777.tif 000003
【図３】
0006612777.tif 000004
【図４】
0006612777.tif 000005
【図５】
0006612777.tif 000006